(57)【要約】    【課題】      ダイバーシチ受信の受信状況に応じて、ダイバーシチゲインを確実に向上させることのできるダイバーシチ受信装置、ダイバーシチ受信方法及び無線通信装置を提供すること。    【解決手段】  フィンガ割当制御部１３３は、フィンガ割当比較部１３１から入力されてくるブランチ間で相違するフィンガの割合と第２閾値との大小関係及びその大小の差の大きさと、レベル比較部１３２から入力されてくる受信レベルの差と第１閾値との大小関係及びその大小の差の大きさと、に基づいて、ダイバーシチゲインが向上するように信号処理方式としてのパス検出部１２５における第１受信信号及び第２受信信号についてのフィンガの割り当てをフィードバック制御する。  【選択図】      図１
2005318432.tif 000002
【特許請求の範囲】
【請求項１】
無線信号を受信する第１アンテナ素子及び第２アンテナ素子と、
前記第１アンテナ素子による第１受信信号についての第１受信品質を測定する第１受信品質測定手段と、
前記第１受信信号と前記第２アンテナ素子による第２受信信号とを合成した合成受信信号についての第２受信品質を測定する第２受信品質測定手段と、
前記第１受信品質と前記第２受信品質とを比較する比較手段と、
前記比較手段による比較結果に基づいて、前記第１受信信号及び前記第２受信信号の少なくとも一方に対する信号処理方式を制御する制御手段と、を具備することを特徴とするダイバーシチ受信装置。
【請求項２】
前記第１受信信号にフィンガを割り当てる第１パス検出手段と、
前記第２受信信号にフィンガを割り当てる第２パス検出手段と、
前記第１受信信号に割り当てられたフィンガと前記第２受信信号に割り当てられたフィンガとを比較するフィンガ割当比較手段と、を具備し、
前記制御手段は、前記比較手段による比較結果と前記フィンガ割当比較手段による比較結果とに基づいて、前記第１受信信号についてのフィンガの割り当て及び前記第２受信信号についてのフィンガの割り当ての少なくとも一方を制御する、ことを特徴とする請求項１記載のダイバーシチ受信装置。
【請求項３】
前記制御手段は、前記比較手段による比較結果と前記フィンガ割当比較手段による比較結果とに基づいて、前記第１受信信号についてのフィンガの割り当て及び前記第２受信信号についてのフィンガの割り当ての少なくとも一方を制御すると伴に、
前記比較手段による比較結果に基づいて前記比較手段で用いられる第１閾値を調節し、前記フィンガ割当比較手段による比較結果に基づいて前記フィンガ割当比較手段で用いられる第２閾値を調節する、ことを特徴とする請求項２記載のダイバーシチ受信装置。
【請求項４】
前記第１受信信号の第１遅延プロファイルを作成する第１遅延プロファイル作成手段と、
前記第２受信信号の第２遅延プロファイルを作成する第２遅延プロファイル作成手段と、を具備し、
前記第１パス検出手段は、前記第１遅延プロファイルに基づいて前記第１受信信号にフィンガを割り当て、
前記第２パス検出手段は、前記第２遅延プロファイルに基づいて前記第２受信信号にフィンガを割り当て、
前記制御手段は、前記比較手段による比較結果と前記フィンガ割当比較手段による比較結果とに基づいて、前記第１遅延プロファイル又は前記第２遅延プロファイルを作成する際の平均化長を制御する、ことを特徴とする請求項２記載のダイバーシチ受信装置。
【請求項５】
前記第１受信信号の第１遅延プロファイルを作成する第１遅延プロファイル作成手段と、
前記第２受信信号の第２遅延プロファイルを作成する第２遅延プロファイル作成手段と、を具備し、
前記第１パス検出手段は、前記第１遅延プロファイルに基づいて検出されたパス位置における前記第１遅延プロファイルの電力レベルが第３閾値以上である場合に、検出された前記パス位置に対応するタイミングで前記第１受信信号にフィンガを割り当て、
前記第２パス検出手段は、前記第２遅延プロファイルに基づいて検出されたパス位置における前記第２遅延プロファイルの電力レベルが第４閾値以上である場合に、検出された前記パス位置に対応するタイミングで前記第２受信信号にフィンガを割り当て、
前記制御手段における制御は、前記第１受信信号にフィンガを割り当てる際に用いられる前記第３閾値及び前記第２受信信号にフィンガを割り当てる際に用いられる前記第４閾値の少なくとも一方を調節するものである、ことを特徴とする請求項２記載のダイバーシチ受信装置。
【請求項６】
前記比較手段は、前記第１受信品質と前記第２受信品質とを比較して、前記第１受信品質と前記第２受信品質との受信レベルの差を算出し、
前記制御手段は、前記比較手段によって算出された受信レベルの差が第１閾値未満である場合に限り、前記フィンガ割当比較手段による比較結果に基づいて、前記第１受信信号についてのフィンガの割り当て及び前記第２受信信号についてのフィンガの割り当ての少なくとも一方を制御する、ことを特徴とする請求項２記載のダイバーシチ受信装置。
【請求項７】
前記フィンガ割当比較手段は、前記第１受信信号及び前記第２受信信号に割り当てられた全てのフィンガに占めるブランチ間で相違するフィンガの割合を算出し、
前記制御手段は、前記フィンガ割当比較手段によって算出された割合が第２閾値以上である場合に限り、前記第１受信信号についてのフィンガの割り当て及び前記第２受信信号についてのフィンガの割り当ての少なくとも一方を制御する、ことを特徴とする請求項６記載のダイバーシチ受信装置。
【請求項８】
前記第１受信信号の第１遅延プロファイルを作成する第１遅延プロファイル作成手段と、
前記第２受信信号の第２遅延プロファイルを作成する第２遅延プロファイル作成手段と、を具備し、
前記第１パス検出手段は、前記第１遅延プロファイルに基づいて検出されたパス位置における前記第１遅延プロファイルの電力レベルが第３閾値以上である場合に、検出された前記パス位置に対応するタイミングで前記第１受信信号にフィンガを割り当て、
前記第２パス検出手段は、前記第２遅延プロファイルに基づいて検出されたパス位置における前記第２遅延プロファイルの電力レベルが第４閾値以上である場合に、検出された前記パス位置に対応するタイミングで前記第２受信信号にフィンガを割り当て、
前記制御手段は、前記比較手段による比較結果と前記フィンガ割当比較手段による比較結果とに基づいて、前記第１受信信号にフィンガを割り当てる際に用いられる前記第３閾値を引き下げると伴に、前記第２受信信号にフィンガを割り当てる際に用いられる前記第４閾値を引き上げる、ことを特徴とする請求項２記載のダイバーシチ受信装置。
【請求項９】
前記制御手段は、前記比較手段による比較結果と前記フィンガ割当比較手段による比較結果とに基づいて、前記第１受信信号に割り当てられるフィンガと前記第２受信信号に割り当てられるフィンガとの和を増加させる、ことを特徴とする請求項２記載のダイバーシチ受信装置。
【請求項１０】
前記第１受信信号及び前記第２受信信号に対してＭＭＳＥ合成を施すＭＭＳＥ合成手段と、
前記第１受信信号及び前記第２受信信号に対してＲＡＫＥ合成を施すＲＡＫＥ合成手段と、
前記ＭＭＳＥ合成手段又は前記ＲＡＫＥ合成手段のいずれか一方を選択し、選択された方に前記第１受信信号及び前記第２受信信号を入力する切替器と、を具備し、
前記制御手段は、前記比較手段による比較結果に基づいて、前記切替器に前記第１受信信号及び前記第２受信信号を前記ＭＭＳＥ合成手段又は前記ＲＡＫＥ合成手段のいずれか一方に入力させる、ことを特徴とする請求項１記載のダイバーシチ受信装置。
【請求項１１】
前記制御手段は、前記比較手段による比較結果に基づいて、前記第２受信品質測定手段を間欠的に動作させる、ことを特徴とする請求項１記載のダイバーシチ受信装置。
【請求項１２】
第１アンテナ素子と第２アンテナ素子とによりそれぞれ無線信号を受信する受信ステップと、
前記第１アンテナ素子による第１受信信号についての第１受信品質を測定する第１受信品質測定ステップと、
前記第１受信信号と前記第２アンテナ素子による第２受信信号とを合成した合成受信信号についての第２受信品質を測定する第２受信品質測定ステップと、
前記第１受信品質と前記第２受信品質とを比較する比較ステップと、
前記比較ステップにおける比較結果に基づいて、前記第１受信信号及び前記第２受信信号の少なくとも一方に対する信号処理方式を制御する制御ステップと、を具備することを特徴とするダイバーシチ受信方法。
【請求項１３】
請求項１記載のダイバーシチ受信装置を具備することを特徴とする無線通信装置。
【発明の詳細な説明】
【技術分野】
【０００１】
本発明は、ダイバーシチ受信装置、ダイバーシチ受信方法及び無線通信装置に関する。
【背景技術】
【０００２】
従来、複数のアンテナ素子によって無線信号をダイバーシチ受信する受信装置では、各ブランチによる受信信号から遅延プロファイルがそれぞれ作成され、作成された各遅延プロファイルに基づいて検出されたパス位置に対応するタイミングで各受信信号にフィンガが割り当てられる（例えば特許文献１参照）。
【特許文献１】特開２００２−２１７７７９号公報
【発明の開示】
【発明が解決しようとする課題】
【０００３】
図８は、Ｗ−ＣＤＭＡ方式におけるＨＳＤＰＡ（High Speed Downlink Packet Access）方式でダイバーシチ受信を行いブランチ毎に遅延プロファイルが作成され、その遅延プロファイルに基づいて各受信信号にフィンガが割り当てられる従来のダイバーシチ受信装置１０の構成を示すブロック図である。ダイバーシチ受信装置１０は、アンテナ素子１１、２１、受信処理部１２、２２、逆拡散部１３、２３、遅延プロファイル作成部１４、２４、パス検出部１５、２５、レベル測定部１６、２６、復調部１７、２７及びＣＱＩ生成部２８を具備する。
【０００４】
アンテナ素子１１、２１はそれぞれ、個別に無線信号を捕捉する。アンテナ素子１１は受信した第１受信信号を受信処理部１２に入力し、またアンテナ素子２１は受信した第２受信信号を受信処理部２２に入力する。
【０００５】
受信処理部１２、２２はそれぞれ、バンドパスフィルタ、Ａ／Ｄ変換器及び低雑音アンプ等を具備する。受信処理部１２は、アンテナ素子１１から入力されてくる第１受信信号に所定の受信処理を施した後に、この第１受信信号を逆拡散部１３に入力する。同様に、受信処理部２２は、アンテナ素子２１から入力されてくる第２受信信号に所定の受信処理を施した後に、この第２受信信号を逆拡散部２３に入力する。
【０００６】
逆拡散部１３は、受信処理部１２から入力されてくる第１受信信号に所定の拡散コードを乗算することによって逆拡散処理を施し、逆拡散処理された第１受信信号及び第１受信信号を遅延プロファイル作成部１４に入力する。
【０００７】
同様に、逆拡散部２３は、受信処理部２２から入力されてくる第２受信信号に所定の拡散コードを乗算することによって逆拡散処理を施し、逆拡散処理された第２受信信号及び第２受信信号を遅延プロファイル作成部２４に入力する。
【０００８】
遅延プロファイル作成部１４は、逆拡散部１３から入力されてくる逆拡散処理された第１受信信号について第１遅延プロファイルを作成し、作成された第１遅延プロファイルと第１受信信号とを共にパス検出部１５及びパス検出部２５にそれぞれ入力する。
【０００９】
同様に、遅延プロファイル作成部２４は、逆拡散部２３から入力されてくる逆拡散処理された第２受信信号について第２遅延プロファイルを作成し、作成された第２遅延プロファイルと第２受信信号とを共にパス検出部２５に入力する。
【００１０】
パス検出部１５は、遅延プロファイル作成部１４から入力されてくる第１遅延プロファイルの遅延時間に対する電力レベルの変化を観察し、その電力レベルが所定の閾値以上で所定時間以上連続した場合に、その所定時間内における電力レベルのピークが存在する遅延時間即ち検出されたパス位置のタイミングで第１受信信号にフィンガを割り当て、割り当てたフィンガを明示する第１フィンガ情報を生成する。そして、パス検出部１５は、この第１フィンガ情報と第１受信信号とを共にレベル測定部１６及び復調部１７にそれぞれ入力する。ここで、前記所定の閾値は、前回のパス検出処理の結果検出されたパス位置及びその近傍を除く遅延プロファイルの平均電力等に基づいて設定される。
【００１１】
パス検出部２５は、パス検出部１５と同様に、遅延プロファイル作成部１４から入力されてくる第１遅延プロファイルに基づいて第１受信信号にフィンガを割り当てて第１フィンガ情報を生成し、また遅延プロファイル作成部２４から入力されてくる第２遅延プロファイルに基づいて第２受信信号にフィンガを割り当てて第２フィンガ情報を生成する。そして、パス検出部２５は、第１フィンガ情報、第１受信信号、第２フィンガ情報及び第２受信信号をレベル測定部２６及び復調部２７にそれぞれ入力する。
【００１２】
レベル測定部１６は、パス検出部１５から入力されてくる第１フィンガ情報に基づいて、検出されたパス位置に対応するタイミングでフィンガを設定して第１受信信号をＲＡＫＥ合成し、ＲＡＫＥ合成された第１受信信号の受信レベルを算出した後に、算出された第１受信信号の受信レベルを図示しないベースバンド部に入力する。
【００１３】
同様に、レベル測定部２６は、パス検出部２５から入力されてくる２つのフィンガ情報に基づいて、検出されたパス位置に対応するタイミングでフィンガを設定し、第１受信信号と第２受信信号とをＲＡＫＥ合成し、ＲＡＫＥ合成によって生成した合成受信信号の受信レベルを算出した後に、算出された合成受信信号の受信レベルをＣＱＩ生成部２８に入力する。
【００１４】
復調部１７は、パス検出部１５から入力されてくるフィンガ情報に基づいて、検出されたパス位置に対応するタイミングでフィンガを設定して第１受信信号をＲＡＫＥ合成し、ＲＡＫＥ合成された第１受信信号を所定の方式で復調した後に図示しないベースバンド部に入力する。
【００１５】
同様に、復調部２７は、パス検出部２５から入力されてくる２つのフィンガ情報に基づいて、検出されたパス位置に対応するタイミングでフィンガを設定して、第１受信信号と第２受信信号とをＲＡＫＥ合成し、ＲＡＫＥ合成によって生成した合成受信信号を所定の方式で復調した後に図示しないベースバンド部に入力する。
【００１６】
ＣＱＩ生成部２８は、レベル測定部２６から入力されてくる合成受信信号の受信レベルに基づいて合成受信信号のＳＩＲ（Signal-to-Interference power Ratio）等を算出することによってＣＱＩ(Channel Quality Indicator)を生成し、生成されたＣＱＩを図示しない送信部に入力する。この生成されたＣＱＩは、送信部で所定の送信処理を施された後に、通信相手局に向けて送信される。
【００１７】
従って、ダイバーシチ受信装置１０では、パス検出部２５が既定の設定条件に従って自動的に第１受信信号及び第２受信信号にフィンガを割り当てることになり、さらに第１受信信号についての第１受信品質と合成受信信号についての第２受信品質とが比較されることもないため、ダイバーシチ受信には不適当な受信状況例えば受信信号の受信レベルがブランチ間で著しく異なる状況等においては、ダイバーシチ受信によるゲイン（以下、「ダイバーシチゲイン」という）が得られない場合が想定されると伴に、伝搬環境が大幅に変化したときには、パス位置の検出又は更新が遅れることによってその変化に対応できずにダイバーシチゲインが得られなくなる場合も想定される。そのため、ダイバーシチ受信装置１０では、ダイバーシチ受信によって合成受信信号についての第２受信品質が必ずしも改善するとは言えない問題がある。
【００１８】
本発明はかかる点に鑑みてなされたものであり、ダイバーシチ受信の受信状況に応じて、ダイバーシチゲインを確実に向上させることのできるダイバーシチ受信装置、ダイバーシチ受信方法及び無線通信装置を提供することを目的とする。
【課題を解決するための手段】
【００１９】
本発明に係るダイバーシチ受信装置は、無線信号を受信する第１アンテナ素子及び第２アンテナ素子と、前記第１アンテナ素子による第１受信信号についての第１受信品質を測定する第１受信品質測定手段と、前記第１受信信号と前記第２アンテナ素子による第２受信信号とを合成した合成受信信号についての第２受信品質を測定する第２受信品質測定手段と、前記第１受信品質と前記第２受信品質とを比較する比較手段と、前記比較手段による比較結果に基づいて、前記第１受信信号及び前記第２受信信号の少なくとも一方に対する信号処理方式を制御する制御手段と、を具備する構成を採る。
【００２０】
この構成によれば、比較手段による比較結果に基づいて、制御手段が第１受信信号及び第２受信信号の少なくとも一方に対する信号処理方式を適応的に制御するため、ダイバーシチゲインを確実に向上させることができ、その結果合成受信信号についての第２受信品質を改善することができる。
【００２１】
本発明に係るダイバーシチ受信装置は、前記発明において、前記第１受信信号にフィンガを割り当てる第１パス検出手段と、前記第２受信信号にフィンガを割り当てる第２パス検出手段と、前記第１受信信号に割り当てられたフィンガと前記第２受信信号に割り当てられたフィンガとを比較するフィンガ割当比較手段と、を具備し、前記制御手段は、前記比較手段による比較結果と前記フィンガ割当比較手段による比較結果とに基づいて、前記第１受信信号についてのフィンガの割り当て及び前記第２受信信号についてのフィンガの割り当ての少なくとも一方を制御する、構成を採る。
【００２２】
この構成によれば、前記発明による効果に加えて、比較手段による比較結果とフィンガ割当比較手段による比較結果とに基づいて、制御手段が第１受信信号についてのフィンガの割り当て及び第２受信信号についてのフィンガの割り当ての少なくとも一方をフィードバック制御するため、ダイバーシチゲインを確実に向上させることができ、その結果ＲＡＫＥ合成後の第１受信信号と第２受信信号との合成受信信号についての第２受信品質を改善することができる。
【００２３】
本発明に係るダイバーシチ受信装置は、前記発明において、前記制御手段は、前記比較手段による比較結果と前記フィンガ割当比較手段による比較結果とに基づいて、前記第１受信信号についてのフィンガの割り当て及び前記第２受信信号についてのフィンガの割り当ての少なくとも一方を制御すると伴に、前記比較手段による比較結果に基づいて前記比較手段で用いられる第１閾値を調節し、前記フィンガ割当比較手段による比較結果に基づいて前記フィンガ割当比較手段で用いられる第２閾値を調節する、構成を採る。
【００２４】
この構成によれば、前記発明による効果に加えて、比較手段による比較結果に基づいて比較手段で用いられる第１閾値が調節され、フィンガ割当比較手段による比較結果に基づいてフィンガ割当比較手段で用いられる第２閾値が調節されるため、ダイバーシチ受信装置の回路規模を拡大することなく、ダイバーシチゲインを確実に向上させることができ、その結果合成受信信号についての第２受信品質を改善することができる。
【００２５】
本発明に係るダイバーシチ受信装置は、前記発明において、前記第１受信信号の第１遅延プロファイルを作成する第１遅延プロファイル作成手段と、前記第２受信信号の第２遅延プロファイルを作成する第２遅延プロファイル作成手段と、を具備し、前記第１パス検出手段は、前記第１遅延プロファイルに基づいて前記第１受信信号にフィンガを割り当て、前記第２パス検出手段は、前記第２遅延プロファイルに基づいて前記第２受信信号にフィンガを割り当て、前記制御手段は、前記比較手段による比較結果と前記フィンガ割当比較手段による比較結果とに基づいて、前記第１遅延プロファイル又は前記第２遅延プロファイルを作成する際の平均化長を制御する、構成を採る。
【００２６】
この構成によれば、前記発明による効果に加えて、比較手段による比較結果とフィンガ割当比較手段による比較結果とに基づいて、制御手段が第１遅延プロファイル又は第２遅延プロファイルを作成する際の平均化長を調節するため、第１受信信号又は第２受信信号に含まれる雑音が瞬間的に大幅変動する場合でもその雑音の変動幅を小さくできることから、遅延プロファイルのピークの誤検出を減らすことができる。
【００２７】
本発明に係るダイバーシチ受信装置は、前記発明において、前記第１受信信号の第１遅延プロファイルを作成する第１遅延プロファイル作成手段と、前記第２受信信号の第２遅延プロファイルを作成する第２遅延プロファイル作成手段と、を具備し、前記第１パス検出手段は、前記第１遅延プロファイルに基づいて検出されたパス位置における前記第１遅延プロファイルの電力レベルが第３閾値以上である場合に、検出された前記パス位置に対応するタイミングで前記第１受信信号にフィンガを割り当て、前記第２パス検出手段は、前記第２遅延プロファイルに基づいて検出されたパス位置における前記第２遅延プロファイルの電力レベルが第４閾値以上である場合に、検出された前記パス位置に対応するタイミングで前記第２受信信号にフィンガを割り当て、前記制御手段における制御は、前記第１受信信号にフィンガを割り当てる際に用いられる前記第３閾値及び前記第２受信信号にフィンガを割り当てる際に用いられる前記第４閾値の少なくとも一方を調節するものである、構成を採る。
【００２８】
この構成によれば、前記発明による効果に加えて、制御手段によるフィードバック制御が第１受信信号にフィンガを割り当てる際に用いられる第３閾値及び第２受信信号にフィンガを割り当てる際に用いられる第４閾値の少なくとも一方を調節するものであるため、ダイバーシチ受信装置の回路規模を拡大することなくダイバーシチゲインを向上させることができ、その結果合成受信信号についての第２受信品質を確実に改善することができる。
【００２９】
本発明に係るダイバーシチ受信装置は、前記発明において、前記比較手段は、前記第１受信品質と前記第２受信品質とを比較して、前記第１受信品質と前記第２受信品質の受信レベルの差を算出し、前記制御手段は、前記比較手段によって算出された受信レベルの差が第１閾値未満である場合に限り、前記フィンガ割当比較手段による比較結果に基づいて、前記第１受信信号についてのフィンガの割り当て及び前記第２受信信号についてのフィンガの割り当ての少なくとも一方を制御する、構成を採る。
【００３０】
この構成によれば、前記発明による効果に加えて、比較手段によって算出された合成受信信号と第１受信信号との受信レベルの差が第１閾値未満である場合に限り、フィンガ割当比較手段による比較結果に基づいて、制御手段が第１受信信号についてのフィンガの割り当て及び第２受信信号についてのフィンガの割り当ての少なくとも一方をフィードバック制御するため、ダイバーシチゲインが得られている場合にはフィンガの割り当てが現状維持となることから、ダイバーシチ受信装置における受信処理の負荷を軽減することができると伴に、ダイバーシチゲインを安定して得ることができる。
【００３１】
本発明に係るダイバーシチ受信装置は、前記発明において、前記フィンガ割当比較手段は、前記第１受信信号及び前記第２受信信号に割り当てられた全てのフィンガに占めるブランチ間で相違するフィンガの割合を算出し、前記制御手段は、前記フィンガ割当比較手段によって算出された割合が第２閾値以上である場合に限り、前記第１受信信号についてのフィンガの割り当て及び前記第２受信信号についてのフィンガの割り当ての少なくとも一方を制御する、構成を採る。
【００３２】
この構成によれば、前記発明による効果に加えて、フィンガ割当比較手段によって算出された全てのフィンガに占めるブランチ間で相違するフィンガの割合が第２閾値以上である場合に限り、制御手段が第１受信信号についてのフィンガの割り当て及び第２受信信号についてのフィンガの割り当ての少なくとも一方をフィードバック制御するため、フィンガの割り当てを変更することによって合成受信信号についての第２受信品質の改善される可能性が高い場合に限り、第１受信信号又は第２受信信号についてのフィンガの割り当てが変更されることから、ダイバーシチ受信装置における受信処理の負荷が増加することを抑制しつつ、ダイバーシチゲインを確実に向上させることができる。
【００３３】
本発明に係るダイバーシチ受信装置は、前記発明において、前記第１受信信号の第１遅延プロファイルを作成する第１遅延プロファイル作成手段と、前記第２受信信号の第２遅延プロファイルを作成する第２遅延プロファイル作成手段と、を具備し、前記第１パス検出手段は、前記第１遅延プロファイルに基づいて検出されたパス位置における前記第１遅延プロファイルの電力レベルが第３閾値以上である場合に、検出された前記パス位置に対応するタイミングで前記第１受信信号にフィンガを割り当て、前記第２パス検出手段は、前記第２遅延プロファイルに基づいて検出されたパス位置における前記第２遅延プロファイルの電力レベルが第４閾値以上である場合に、検出された前記パス位置に対応するタイミングで前記第２受信信号にフィンガを割り当て、前記制御手段は、前記比較手段による比較結果と前記フィンガ割当比較手段による比較結果とに基づいて、前記第１受信信号にフィンガを割り当てる際に用いられる前記第３閾値を引き下げると伴に、前記第２受信信号にフィンガを割り当てる際に用いられる前記第４閾値を引き上げる、構成を採る。
【００３４】
この構成によれば、前記発明による効果に加えて、比較手段による比較結果とフィンガ割当比較手段による比較結果とに基づいて、制御手段が第１受信信号にフィンガを割り当てる際に用いられる前記第３閾値を引き下げると伴に、第２受信信号にフィンガを割り当てる際に用いられる第４閾値を引き上げるため、第１受信信号に割り当てられるフィンガが増加すると伴に、第２受信信号に割り当てられるフィンガが減少することになるから、第１受信信号に割り当て可能な全てのフィンガを合成受信信号に割り当てることができる。
【００３５】
本発明に係るダイバーシチ受信装置は、前記発明において、前記制御手段は、前記比較手段による比較結果と前記フィンガ割当比較手段による比較結果とに基づいて、前記第１受信信号に割り当てられるフィンガと前記第２受信信号に割り当てられるフィンガとの和を増加させる、構成を採る。
【００３６】
この構成によれば、前記発明による効果に加えて、比較手段による比較結果とフィンガ割当比較手段による比較結果とに基づいて、制御手段が第１受信信号に割り当てられるフィンガと第２受信信号に割り当てられるフィンガとの和を増加させるため、フィンガリソースの浪費を防止しつつ、ダイバーシチゲインを確実に向上させることができる。
【００３７】
本発明に係るダイバーシチ受信装置は、前記発明において、前記第１受信信号及び前記第２受信信号に対してＭＭＳＥ合成を施すＭＭＳＥ合成手段と、前記第１受信信号及び前記第２受信信号に対してＲＡＫＥ合成を施すＲＡＫＥ合成手段と、前記ＭＭＳＥ合成手段又は前記ＲＡＫＥ合成手段のいずれか一方を選択し、選択された方に前記第１受信信号及び前記第２受信信号を入力する切替器と、を具備し、前記制御手段は、前記比較手段による比較結果に基づいて、前記切替器に第１受信信号及び前記第２受信信号を前記ＭＭＳＥ合成手段又は前記ＲＡＫＥ合成手段のいずれか一方に入力させる、構成を採る。
【００３８】
この構成によれば、前記発明による効果に加えて、制御手段が比較手段による比較結果に基づいて第１受信信号及び前記第２受信信号の入力先としてＭＭＳＥ合成手段又はＲＡＫＥ合成手段のいずれか一方を切替器に選択させるため、第１受信信号及び前記第２受信信号について、その合成後の第２受信品質に応じてより好ましい復調結果を得ることができる。
【００３９】
本発明に係るダイバーシチ受信装置は、前記発明において、前記制御手段は、前記比較手段による比較結果に基づいて、前記第２受信品質測定手段を間欠的に動作させる、構成を採る。
【００４０】
この構成によれば、合成受信信号についての第２受信品質に応じて、第２受信品質測定手段が間欠的に動作することになるため、ダイバーシチ受信装置の消費電力を効果的に削減することができる。
【００４１】
本発明に係るダイバーシチ受信方法は、第１アンテナ素子と第２アンテナ素子とによりそれぞれ無線信号を受信する受信ステップと、前記第１アンテナ素子による第１受信信号についての第１受信品質を測定する第１受信品質測定ステップと、前記第１受信信号と前記第２アンテナ素子による第２受信信号とを合成した合成受信信号についての第２受信品質を測定する第２受信品質測定ステップと、前記第１受信品質と前記第２受信品質とを比較する比較ステップと、前記比較ステップにおける比較結果に基づいて、前記第１受信信号及び前記第２受信信号の少なくとも一方に対する信号処理方式を制御する制御ステップと、を具備するようにした。
【００４２】
この方法によれば、比較ステップでの比較結果に基づいて、制御ステップにおける第１受信信号及び第２受信信号の少なくとも一方に対する信号処理方式が適応的に制御されるため、ダイバーシチゲインを確実に向上させることができ、その結果合成受信信号についての第２受信品質を改善することができる。
【００４３】
本発明に係る無線通信装置は、請求項１記載のダイバーシチ受信装置を具備する構成を採る。
【００４４】
この構成によれば、具備されるダイバーシチ受信装置によって前記第１受信信号及び前記第２受信信号の少なくとも一方に対する信号処理方式が適応的に制御されるため、ダイバーシチゲインを確実に向上させることができ、その結果合成受信信号についての第２受信品質を改善することができる。
【発明の効果】
【００４５】
本発明によれば、第１受信信号についての第１受信品質と合成受信信号についての第２受信品質とが比較され、その比較結果に基づいて、第１受信信号、第２受信信号又は合成受信信号に対する信号処理方式が制御されるため、ダイバーシチゲインを確実に向上させることができ、その結果合成受信信号についての第２受信品質を改善することができる。
【発明を実施するための最良の形態】
【００４６】
本発明の骨子は、ダイバーシチ受信された受信信号についての受信品質をブランチ間で比較し、その比較結果に応じてダイバーシチ受信された受信信号の信号処理方式を変更又は調節することである。
【００４７】
以下、本発明の実施の形態について、図面を参照しつつ詳細に説明する。
【００４８】
（実施の形態１）
図１は、本発明の実施の形態１に係るダイバーシチ受信装置１００の構成を示すブロック図である。ダイバーシチ受信装置１００は、例えば無線通信システムを構成する携帯電話等の移動局装置やこの移動局装置と無線通信を行う基地局装置等の無線通信装置に搭載されて使用される。なお、本実施の形態では、ダイバーシチ受信装置１００は移動局装置に搭載されているものとする。また、ダイバーシチ受信装置１００を具備する移動局装置は、Ｗ−ＣＤＭＡ方式におけるＨＳＤＰＡ（High Speed Downlink Packet Access）方式でダイバーシチ受信を行い、ＨＳＤＰＡサービスが提供されるセル（ＨＳＤＰＡサービングセル）内に位置するものとする。
【００４９】
ダイバーシチ受信装置１００は、アンテナ素子１１１、１２１、受信処理部１１２、１２２、逆拡散部１１３、１２３、遅延プロファイル作成部１１４、１２４、パス検出部１１５、１２５、レベル測定部１１６、１２６、復調部１１７、１２７、ＣＱＩ生成部１２８、フィンガ割当比較部１３１、レベル比較部１３２及びフィンガ割当制御部１３３を具備する。
【００５０】
アンテナ素子１１１、１２１はそれぞれ、個別に無線信号を捕捉する。アンテナ素子１１１は受信した第１受信信号を受信処理部１１２に入力し、またアンテナ素子１２１は受信した第２受信信号を受信処理部１２２に入力する。なお、第１受信信号及び第２受信信号には共に、ＨＳＤＰＡサービングセルの信号（ＨＳＤＰＡ信号）が含まれる。
【００５１】
受信処理部１１２、１２２はそれぞれ、バンドパスフィルタ、Ａ／Ｄ変換器及び低雑音アンプ等を具備する。受信処理部１１２は、アンテナ素子１１１から入力されてくる第１受信信号に所定の受信処理を施した後に、この第１受信信号を逆拡散部１１３に入力する。同様に、受信処理部１２２は、アンテナ素子１２１から入力されてくる第２受信信号に所定の受信処理を施した後に、この第２受信信号を逆拡散部１２３に入力する。
【００５２】
逆拡散部１１３は、受信処理部１１２から入力されてくる第１受信信号に所定の拡散コードを乗算することによって逆拡散処理を施し、逆拡散処理された第１受信信号及び第１受信信号を遅延プロファイル作成部１１４に入力する。
【００５３】
同様に、逆拡散部１２３は、受信処理部１２２から入力されてくる第２受信信号に所定の拡散コードを乗算することによって逆拡散処理を施し、逆拡散処理された第２受信信号及び第２受信信号を遅延プロファイル作成部１２４に入力する。
【００５４】
遅延プロファイル作成部１１４は、逆拡散部１１３から入力されてくる第１受信信号に基づいて第１遅延プロファイルを作成し、作成された第１遅延プロファイルと第１受信信号とを共にパス検出部１１５及びパス検出部１２５にそれぞれ入力する。
【００５５】
同様に、遅延プロファイル作成部１２４は、逆拡散部１２３から入力されてくる第２受信信号に基づいて第２遅延プロファイルを作成し、作成された第２遅延プロファイルと第２受信信号とを共にパス検出部１２５に入力する。
【００５６】
パス検出部１１５は、遅延プロファイル作成部１１４から入力されてくる第１遅延プロファイルの遅延時間に対する電力レベルの変化を観察し、その電力レベルが所定時間以上連続して第３閾値以上である場合に、その所定時間内における電力レベルのピークが形成された遅延時間（検出されたパス位置）に対応するタイミングで第１受信信号にフィンガを割り当て、割り当てたフィンガを明示する第１フィンガ情報を生成する。そして、パス検出部１１５は、生成した第１フィンガ情報と第１受信信号とを共にレベル測定部１１６、復調部１１７及びフィンガ割当比較部１３１にそれぞれ入力する。
【００５７】
同様に、パス検出部１２５は、パス検出部１１５と同様にして、遅延プロファイル作成部１１４から入力されてくる第１遅延プロファイルに基づいて第１フィンガ情報を生成し、また遅延プロファイル作成部１２４から入力されてくる第２遅延プロファイルに基づいて、その電力レベルが所定時間以上連続して第４閾値以上である場合に、検出されたパス位置に対応するタイミングで第２受信信号にフィンガを割り当てて第２フィンガ情報を生成する。従って、パス検出部１２５は、パス検出部１１５によって発揮される機能を備えており、「第２パス検出手段」としてのみならず「第１パス検出手段」としても機能する。そして、パス検出部１２５は、第１フィンガ情報、第１受信信号、第２フィンガ情報及び第２受信信号をレベル測定部１２６、復調部１２７及びフィンガ割当比較部１３１にそれぞれ入力する。
【００５８】
レベル測定部１１６は、パス検出部１１５から入力されてくるフィンガ情報に基づいて、検出されたパス位置に対応するタイミングで第１受信信号に対してフィンガを設定してＲＡＫＥ合成し、ＲＡＫＥ合成された第１受信信号の受信レベルを算出した後に、算出された第１受信信号の受信レベルをレベル比較部１３２及び図示しないベースバンド部にそれぞれ入力する。この第１受信信号の受信レベルとしては、ＣＰＩＣＨ(Common PIlot CHannel)のＲＳＣＰ(Received Signal Code Power)やＩＳＣＰ(Interference Signal Code Power)やＳＩＲ(ＲＳＣＰ／ＩＳＣＰ)が例示される。なお、ベースバンド部に入力された第１受信信号の受信レベルは、その後に周辺セルサーチや基地局装置への報告用レベル測定に利用される。従って、レベル測定部１１６が第１受信信号についての第１受信品質を測定する「第１受信品質測定手段」として機能することになる。
【００５９】
同様に、レベル測定部１２６は、パス検出部１２５から入力されてくる２つのフィンガ情報に基づいて、検出されたパス位置に対応するタイミングでフィンガを設定して第１受信信号と第２受信信号とをＲＡＫＥ合成し、ＲＡＫＥ合成によって生成された合成受信信号の受信レベルを算出した後に、算出された合成受信信号の受信レベルをＣＱＩ生成部１２８及びレベル比較部１３２にそれぞれ入力する。従って、レベル測定部１２６が合成受信信号についての第２受信品質を測定する「第２受信品質測定手段」として機能することになる。
【００６０】
復調部１１７は、パス検出部１１５から入力されてくるフィンガ情報に基づいて、検出されたパス位置のタイミングで第１受信信号をＲＡＫＥ合成し、ＲＡＫＥ合成された第１受信信号に対して所定の復調処理を施し、復調された第１受信信号を図示しないベースバンド部に入力する。なお、復調部１１７では、ダイバーシチ受信を必要としない個別通信チャネルの復調処理が行われる。
【００６１】
同様に、復調部１２７は、パス検出部１２５から入力されてくる２つのフィンガ情報に基づいて、検出されたパス位置に対応するタイミングでフィンガを設定して第１受信信号と第２受信信号とをＲＡＫＥ合成し、ＲＡＫＥ合成によって生成された合成受信信号を図示しないベースバンド部に入力する。なお、復調部１２７では、ダイバーシチ受信を必要とするＨＳＤＰＡ信号の復調処理が行われる。
【００６２】
ＣＱＩ生成部１２８は、レベル測定部１２６から入力されてくる合成受信信号の受信レベルに基づいて合成受信信号のＳＩＲやＥｃ／Ｎ０等を算出することによってＣＱＩを生成し、生成されたＣＱＩを図示しない送信部に入力する。そして、生成されたＣＱＩは、所定の送信処理を施された後に、基地局装置に向けて送信される。
【００６３】
フィンガ割当比較部１３１は、パス検出部１１５から入力されてくる第１受信信号に割り当てられたフィンガの情報とパス検出部１２５から入力されてくる第２受信信号に割り当てられたフィンガの情報とを比較して、割り当てられたフィンガについてのブランチ間での相違を検出する。より具体的には、フィンガ割当比較部１３１は、第１遅延プロファイルに基づいて検出されたパス位置を基準として、第２遅延プロファイルに基づいて検出されたパス位置について、基準とされたパス位置と同一と認定できるものがある場合には同一フィンガとしてカウントし、同一と認定できないものがある場合例えば基準とされたパス位置よりもパス位置の数が多い又は少ない場合や基準とされたパス位置の中で最も近いものでも遅延時間の差が所定値よりも大きい場合には、ブランチ間で相違するフィンガとしてカウントする。そして、フィンガ割当比較部１３１は、第１受信信号及び第２受信信号に割り当てられた全てのフィンガ（同一フィンガは重複計上されない）に占めるブランチ間で相違するフィンガの割合を算出する。フィンガ割当比較部１３１は、算出された相違するフィンガの割合と予め設定された第２閾値とを比較して、その比較結果即ち算出された割合と第２閾値との大小関係及びその大小の差の大きさについての情報をフィンガ割当制御部１３３に入力する。
【００６４】
レベル比較部１３２は、レベル測定部１１６から入力されてくる第１受信信号の受信レベルとレベル測定部１２６から入力されてくる合成受信信号の受信レベルとの差を算出し、その受信レベルの差と第１閾値とを比較して、その比較結果即ち算出された受信レベルの差と第１閾値との大小関係及びその大小の差の大きさについての情報をフィンガ割当制御部１３３に入力する。
【００６５】
フィンガ割当制御部１３３は、フィンガ割当比較部１３１から入力されてくるブランチ間で相違するフィンガの割合と第２閾値との大小関係及びその大小の差の大きさと、レベル比較部１３２から入力されてくる受信レベルの差と第１閾値との大小関係及びその大小の差の大きさと、に基づいて、ダイバーシチゲインが向上するように信号処理方式としてのパス検出部１２５における第１受信信号及び第２受信信号についてのフィンガの割り当てをフィードバック制御する。
【００６６】
ここで、レベル測定部１１６によって測定される第１受信品質は、基地局装置の上位ネットワークに報告された後に移動局装置のハンドオーバ制御等に用いられるため、その測定周期は１０ｍｓ以上であることが多い。一方で、レベル測定部１２６によって測定される第２受信品質は、ＨＳＤＰＡ方式で規定されているＣＱＩ生成に用いられるため、その測定周期は数ｍｓオーダであることが多い。従って、第２受信品質の測定の方が第１受信品質の測定よりも測定周期が短く高頻度で実施されることが多い。そこで、レベル比較部１３２は、レベル測定部１１６における第１受信品質の測定周期を基本として、その基本となる測定周期が到来するタイミングに最も近いタイミングでレベル測定部１２６によって測定された第２受信品質と、それに対応するレベル測定部１１６によって測定された第１受信品質と、を比較することが好ましい。
【００６７】
次いで、ダイバーシチ受信装置１００において、遅延プロファイルに基づいて受信信号にフィンガが割り当てられる態様、並びにそのフィンガ割り当てがフィードバック制御される一連の動作について、図２、図３及び図４を参照しつつ具体的に説明する。
【００６８】
図２は、フィンガ割当制御部１３３が信号処理方式としてのパス検出部１２５におけるフィンガの割り当てをフィードバック制御する一連の動作を示すフロー図である。
【００６９】
ステップＳＴ２１０では、レベル比較部１３２が第１受信信号の受信レベルと合成受信信号の受信レベルとの差として（合成受信信号の受信レベル）／（第１受信信号の受信レベル）を算出し、算出された比の値と第１閾値とを比較して、その比較結果即ち算出された比と第１閾値との大小関係及びその大小の差の大きさについての情報をフィンガ割当制御部１３３に入力する。そして、ステップＳＴ２１０では、このレベル比較部１３２から入力されてくる情報に基づいて、フィンガ割当制御部１３３が、（合成受信信号の受信レベル）／（第１受信信号の受信レベル）が第１閾値（例えば１ｄＢ）以上であるか否かを判定する。ステップＳＴ２１０では、この判定結果が肯定的である場合即ち（合成受信信号の受信レベル）／（第１受信信号の受信レベル）が第１閾値以上である場合には、フィンガ割当制御部１３３は、合成受信信号について既にダイバーシチゲインが得られていると判定して、パス検出部１２５におけるフィンガ割り当てを変更することなくそのまま維持する。一方で、ステップＳＴ２１０では、この判定結果が否定的である場合即ち（合成受信信号の受信レベル）／（第１受信信号の受信レベル）が第１閾値未満である場合には、ステップＳＴ２１０に続いてステップＳＴ２２０が実行される。
【００７０】
続いて、ステップＳＴ２２０では、フィンガ割当比較部１３１が、第１受信信号及び第２受信信号に割り当てられた全てのフィンガに占めるブランチ間で相違するフィンガの割合を算出し、この算出されたブランチ間で相違するフィンガの割合と第２閾値とを比較して、その比較結果即ちブランチ間で相違するフィンガの割合と第２閾値との大小関係及びその大小の差の大きさについての情報をフィンガ割当制御部１３３に入力する。そして、ステップＳＴ２２０では、このフィンガ割当比較部１３１から入力されてくる情報に基づいて、フィンガ割当制御部１３３が、全てのフィンガに占めるブランチ間で相違するフィンガの割合が第２閾値以上であるか否かを判定する。ステップＳＴ２２０では、この判定結果が肯定的である場合即ち全てのフィンガに占めるブランチ間で相違するフィンガの割合が第２閾値（例えば２０％）以上である場合には、ステップＳＴ２２０に続いてステップＳＴ２３０が実行される。一方で、ステップＳＴ２２０では、この判定結果が否定的である場合即ち全てのフィンガに占めるブランチ間で相違するフィンガの割合が第２閾値（例えば２０％）未満である場合には、第１受信信号について検出されたパス位置と第２受信信号について検出されたパス位置とに同一のものが多く、第１受信信号と第２受信信号とについてのフィンガの割り当てを変更する余地が少ないと考えられることから、フィンガの割り当てを変更したとしてもダイバーシチゲインの向上は期待し難いため、フィンガ割当制御部１３３は、パス検出部１２５におけるフィンガの割り当てを変更させることなくそのまま維持する。
【００７１】
続いて、ステップＳＴ２３０では、第１受信信号についての第１受信品質よりも合成受信信号についての第２受信品質の方が大きく、かつ、第１受信信号について検出されたパス位置と第２受信信号について検出されたパス位置とに相違点が多いため、第１受信信号と第２受信信号とについてのフィンガの割り当てを変更することが可能であり、これを変更することによってダイバーシチゲインの向上を期待できることから、フィンガ割当制御部１３３は、信号処理方式としてのパス検出部１２５における第１受信信号についてのフィンガの割り当て及び第２受信信号についてのフィンガの割り当ての少なくとも一方を変更する。
【００７２】
図３Ａに、フィンガ割当制御部１３３がフィードバック制御によって第２受信信号に割り当てられたフィンガの一部を第１受信信号に割り当て直す場合におけるパス検出部１２５でのフィンガの割り当て態様を示す。また、図３Ａには、パス検出部１２５に第１遅延プロファイル及び第２遅延プロファイルが共に入力されてくることから、これら２つの遅延プロファイルが併記されている。また、図３Ｂに、パス検出部１１５でのフィンガの割り当て態様を示す。図３Ａ及び図３Ｂでは、第１遅延プロファイルのピークでその電力レベルが第３閾値以上のパス位置にそれぞれ「ａ」〜「ｅ」の符号が付されている。さらに、図３Ａでは、第２遅延プロファイルのピークでその電力レベルが第４閾値以上のパス位置にそれぞれ「ｆ」〜「ｈ」の符号が付されている。ここで、パス位置ａとパス位置ｆとは同一と認定されるものであるが、残りのパス位置ｂ〜ｅとパス位置ｇ〜ｈとについては、いずれも同一と認定することができないものとする。また、パス検出部１２５が第１受信信号及び第２受信信号に割り当てることのできる合計のフィンガリソースは、パス検出部１１５と同じ５つであるものとする。そのため、ダイバーシチ受信の開始初期において、パス検出部１２５は、パス位置ａとパス位置ｆとを基準として第１受信信号及び第２受信信号について、パス位置ａ及びパス位置ｆで２つのフィンガリソースを消費し、残り３つのフィンガリソースを第１遅延プロファイル及び第２遅延プロファイルの電力レベルが高い順にパス位置ｂ、パス位置ｇ及びパス位置ｃの３つに順次割り当てることになる。ここで、パス位置ａとパス位置ｆとが同一で、パス位置ｂ、パス位置ｃ及びパス位置ｇがいずれも相違するため、第１受信信号及び第２受信信号に割り当てられる合計のフィンガは５つで、ブランチ間で相違するフィンガは３つとなるから、全てのフィンガに占めるブランチ間で相違するフィンガの割合は６０％となる。
【００７３】
そして、合成受信信号についての第２受信品質と第１受信信号についての第１受信品質との差即ち（合成受信信号の受信レベル）／（第１受信信号の受信レベル）の値がレベル比較部１３２で用いられる第１閾値（例えば１ｄＢ）未満であり、かつ、全てのフィンガに占めるブランチ間で相違するフィンガの割合（６０％）がフィンガ割当比較部１３１で用いられる第２閾値（例えば２０％）以上であれば、フィンガ割当制御部１３３は、パス検出部１２５に対して第３閾値を引き下げると伴に第４閾値を引き上げるというフィードバック制御を行う。このフィードバック制御によって、第４閾値が引き上げられるため、先ずパス位置ｇに対応するタイミングで第２受信信号に割り当てられていたフィンガが取り消される。続いて、第３閾値が引き下げられるため、この取り消された２つのフィンガがパス位置ｅに対応するタイミングで第１受信信号に新たに割り当てられる。
【００７４】
従って、図３Ａに示すパス検出部１２５でのフィンガの割り当て態様では、合成受信信号に割り当てられるフィンガの総数は変化せず、第１受信信号にフィンガを割り当てる際に用いられる第３閾値と、第２受信信号にフィンガを割り当てる際に用いられる第４閾値と、が調節されることにより、フィンガリソースの割り当てられるパス位置が変更されることになる。そのため、図３Ａに示す態様であれば、ダイバーシチ受信装置の回路規模を拡大することなくダイバーシチゲインを確実に向上させることができ、その結果合成受信信号についての第２受信品質を改善することができる。また、図３Ａに示す態様であれば、フィンガ割当制御部１３３によるフィードバック制御によって第１受信信号について検出されたパス位置の全てにフィンガが割り当てられることになるため、例えば第１受信信号に比べて第２受信信号の受信レベルが極端に低い場合や瞬間的に急変する場合でも、合成受信信号の受信レベルが少なくとも第１受信信号の受信レベルを下回ることを防ぐことができ、ダイバーシチゲインを安定して得ることができる。
【００７５】
図４Ａに、フィンガ割当制御部１３３がフィードバック制御によって第１受信信号に割り当てるフィンガを追加する場合におけるパス検出部１２５でのフィンガの割り当て態様を示す。図４Ａ及び図４Ｂは、図３Ａ及び図３Ｂと共通する部分が多いため、このような共通する部分についての説明は省略し、相違する部分についてのみ説明する。
【００７６】
図４Ａでは、フィンガ割当制御部１３３によるパス検出部１２５に対するフィードバック制御において、パス検出部１２５が余剰のフィンガリソースを有しているものとする。そして、フィンガ割当制御部１３３は、第１受信信号についてのフィンガの割り当ての際にパス検出部１２５で用いられる第３閾値を引き下げることにより、第１受信信号に割り当てられるフィンガを追加する。
【００７７】
従って、図４Ａに示すパス検出部１２５でのフィンガの割り当て態様によれば、フィンガ割当制御部１３３によるパス検出部１２５に対するフィードバック制御において、レベル比較部１３２及びフィンガ割当比較部１３１での比較結果に応じて、第１受信信号及び第２受信信号に割り当てられるフィンガの総数が変化することになるため、ダイバーシチゲインが得られている場合はフィンガリソースを節約でき、フィンガリソースの浪費を防止しつつ、ダイバーシチゲインを確実に向上させることができる。
【００７８】
このように本実施の形態に係るダイバーシチ受信装置１００によれば、レベル比較部１３２及びフィンガ割当比較部１３１による比較結果に基づいて、フィンガ割当制御部１３３が第１受信信号についてのフィンガの割り当てと第２受信信号についてのフィンガの割り当てとをフィードバック制御するため、ダイバーシチゲインを確実に向上させることができ、その結果合成受信信号についての第２受信品質を改善することができる。
【００７９】
また、本実施の形態に係るダイバーシチ受信装置１００によれば、レベル比較部１３２によって算出される合成受信信号と第１受信信号との受信レベルの差が第１閾値未満である場合に限り、フィンガ割当比較部１３１による比較結果に基づいて、フィンガ割当制御部１３３が第１受信信号についてのフィンガの割り当て及び第２受信信号についてのフィンガの割り当ての少なくとも一方をフィードバック制御するため、ダイバーシチゲインが得られている場合にはフィンガの割り当てが現状維持となることから、ダイバーシチ受信装置１００における受信処理の負荷を軽減することができると伴に、ダイバーシチゲインを安定して得ることができる。
【００８０】
また、本実施の形態に係るダイバーシチ受信装置１００によれば、フィンガ割当比較部１３１によって算出された全てのフィンガに占めるブランチ間で相違するフィンガの割合が第２閾値以上である場合に限り、フィンガ割当制御部１３３が第１受信信号についてのフィンガの割り当て及び第２受信信号についてのフィンガの割り当ての少なくとも一方をフィードバック制御するため、フィンガの割り当てを変更することによって合成受信信号についての第２受信品質が改善する可能性の高い場合に限り、フィンガの割り当てが変更されることから、ダイバーシチ受信装置１００における受信処理の負荷が増加することを抑制しつつ、ダイバーシチゲインを確実に向上させることができる。
【００８１】
また、本実施の形態に係るダイバーシチ受信装置１００によれば、レベル比較部１３２及びフィンガ割当比較部１３１による比較結果に基づいて、フィンガ割当制御部１３３が第１受信信号にフィンガを割り当てる際に用いられる第３閾値を引き下げると伴に、第２受信信号にフィンガを割り当てる際に用いられる第４閾値を引き上げるため、第１受信信号に割り当てられるフィンガが増加すると伴に、第２受信信号に割り当てられるフィンガが減少することになるから、第１受信信号について検出されたパス位置の全てにフィンガを割り当てることができる。
【００８２】
なお、本実施の形態に係るダイバーシチ受信装置１００について、以下のように応用したり、変形したりしてもよい。
【００８３】
本実施の形態では、第１遅延プロファイル又は第２遅延プロファイルの電力レベルが第３閾値又は第４閾値を所定時間連続で超えることを条件にその電力レベルのピークに対応するタイミングで第１受信信号又は第２受信信号にフィンガを割り当てる場合について説明したが、本発明はこの場合に限定されるものではなく、種々のフィンガの割り当て方法を適用することができる。例えば、一旦フィンガを割り当てた後に、そのフィンガの前後の遅延プロファイルの受信レベルを測定し、その測定結果が現在のフィンガについての電力レベルよりも大きければ、フィンガを割り当て直すようにしてもよい。また、例えば、第１遅延プロファイル又は第２遅延プロファイルの電力レベルが第３閾値又は第４閾値を連続で超える時間を調節するようにしてもよい。
【００８４】
また、本実施の形態では、パス検出部１１５からフィンガ割当比較部１３１に第１フィンガ情報が入力される場合について説明したが、本発明はこの場合に限定されるものではなく、例えばパス検出部１１５からフィンガ割当比較部１３１に第１フィンガ情報が入力されないようにしてもよい。このようにしても、第１フィンガ情報はパス検出部１２５からフィンガ割当比較部１３１に入力されているので、フィンガ割当比較部１３１は、本実施の形態において発揮された機能を何ら損なうことがない。
【００８５】
また、本実施の形態では、レベル比較部１３２で用いられる第１閾値が１ｄＢであり、かつ、フィンガ割当比較部１３１で用いられる第２閾値が２０％である場合について説明したが、本発明はこの場合に限定されるものではなく、例えばレベル比較部１３２及びフィンガ割当比較部１３１からフィンガ割当制御部１３３に入力されてくるこれらの比較結果に応じて、フィンガ割当制御部１３３が第１閾値及び第２閾値を適応的に調節するようにしてもよい。このようにすれば、ダイバーシチ受信装置の回路規模を拡大することなく、ダイバーシチゲインを確実に向上させることができ、その結果合成受信信号についての第２受信品質を改善することができる。
【００８６】
また、本実施の形態において、レベル比較部１３２及びフィンガ割当比較部１３１による比較結果に応じて、フィンガ割当制御部１３３が遅延プロファイル作成部１１４、１２４に対して、遅延プロファイルを作成する際の平均化長を変更するように指示してもよい。このようにすれば、合成受信信号についてダイバーシチゲインが得られていない場合に、第２遅延プロファイルを作成する際の平均化長を短くして、伝播路変動に追従するパス位置を検出することもできる。さらにこの場合、第１遅延プロファイル又は第２遅延プロファイルの電力レベルが第３閾値又は第４閾値を連続で超える時間を調節するようにしてもよい。
【００８７】
また、本実施の形態では、パス検出部１２５におけるフィンガの割り当ての制御は第３閾値又は第４閾値の調節による場合について説明したが、本発明はこの場合に限定されるものではなく、例えば第２受信信号に対するフィンガの割り当てを第１受信信号に対する割り当てと同一にしてもよい。このようにすれば、アンテナ素子間でパスの遅延時間は大きく変わらないため、ダイバーシチゲインが得られていない状況ではフィンガの割り当てを制御してもダイバーシチゲインは改善され難いので、この制御を省くことによって信号処理の負荷を減らすことができる。
【００８８】
また、本実施の形態では、パス検出部１１５、１２５において第１遅延プロファイルに同一の第３閾値を適用する場合について説明したが、本発明はこの場合に限定されるものではなく、例えばパス検出部１１５、１２５において第１遅延プロファイルに異なる閾値をそれぞれ適用するようにしてもよい。このようにすれば、パス検出部１２５においてダイバーシチ受信により適した閾値を適用できるため、合成受信信号についてダイバーシチゲインをより得易くなる。
【００８９】
（実施の形態２）
図５は、本発明の実施の形態２に係るダイバーシチ受信装置５００の構成を示すブロック図である。ダイバーシチ受信装置５００は、ダイバーシチ受信装置１００において、フィンガ割当比較部１３１が取り除かれ、フィンガ割当制御部１３３の代わりに切替制御部５３１を、復調部１２７の代わりに切替器５３２、ＭＭＳＥ合成部５３３及びＲＡＫＥ合成部５３４を具備するものである。従って、ダイバーシチ受信装置５００の構成要素の殆どは、ダイバーシチ受信装置１００の構成要素と同様の機能を発揮する。そこで、本実施の形態では、ダイバーシチ受信装置１００の構成要素と同様の機能を発揮するダイバーシチ受信装置５００の構成要素については、重複をさけるため、その説明を省略する。
【００９０】
切替制御部５３１は、レベル比較部１３２から入力されてくる上述の受信レベルの差と第１閾値との大小関係及びその大小の差の大きさと、に基づいて、この受信レベルの差が第１閾値以上である場合には、ダイバーシチゲインが既に得られていると判定し、一方でこの受信レベルの差が第１閾値未満である場合には、ダイバーシチゲインが得られていないと判定する。そして、切替制御部５３１は、ダイバーシチゲインが既に得られていると判定した場合には、パス検出部１２５から切替器５３２に入力される第１受信信号及び第２受信信号がＲＡＫＥ合成部５３４に入力されるように切替器５３２を制御する。一方で、切替制御部５３１は、ダイバーシチゲインが得られていないと判定した場合には、パス検出部１２５から切替器５３２に入力される第１受信信号及び第２受信信号がＭＭＳＥ合成部５３３に入力されるように切替器５３２を制御する。
【００９１】
切替器５３２は、切替制御部５３１からの制御命令に従い、パス検出部１２５から入力されてくる第１受信信号及び第２受信信号をＭＭＳＥ合成部５３３又はＲＡＫＥ合成部５３４のいずれか一方に入力する。
【００９２】
ＭＭＳＥ合成部５３３は、切替器５３２から入力されてくる第１受信信号及び第２受信信号に対してＭＭＳＥ合成を施し、ＭＭＳＥ合成によって生成した合成受信信号を図示しないベースバンド部に入力する。
【００９３】
ＲＡＫＥ合成部５３４は、切替器５３２から入力されてくる第１受信信号及び第２受信信号に対してＲＡＫＥ合成を施し、ＲＡＫＥ合成によって生成した合成受信信号を図示しないベースバンド部に入力する。
【００９４】
ここで、ＭＭＳＥ(Minimum Mean Square Error)合成は、マルチパス干渉を等化することにより受信品質を向上させる信号処理方式であり、ＲＡＫＥ合成と比べて受信処理の負荷は大きいものの受信性能に勝る。
【００９５】
従って、本実施の形態に係るダイバーシチ受信装置５００によれば、切替制御部５３１によってダイバーシチゲインが得られていないと判定された場合には、第１受信信号及び第２受信信号に対してＭＭＳＥ合成が施されるように切替制御部５３１が切替器５３２を制御することにより、ＲＡＫＥ合成では得られないダイバーシチゲインを得ることができるようになる。また、切替制御部５３１によってダイバーシチゲインが既に得られていると判定された場合には、第１受信信号及び第２受信信号に対してＲＡＫＥ合成が施されるように切替制御部５３１が切替器５３２を制御することにより、ダイバーシチ受信装置５００における受信処理の負荷を軽減することができる。
【００９６】
（実施の形態３）
図６は、本発明の実施の形態３に係るダイバーシチ受信装置６００の構成を示すブロック図である。ダイバーシチ受信装置６００は、ダイバーシチ受信装置１００において、フィンガ割当比較部１３１が取り除かれ、フィンガ割当制御部１３３の代わりに受信処理制御部６３１を具備するものである。従って、ダイバーシチ受信装置６００の構成要素の殆どは、ダイバーシチ受信装置１００の構成要素と同様の機能を発揮する。そこで、本実施の形態では、ダイバーシチ受信装置１００の構成要素と同様の機能を発揮するダイバーシチ受信装置６００の構成要素については、重複をさけるため、その説明を省略する。
【００９７】
受信処理制御部６３１は、レベル比較部１３２から入力されてくる上述の受信レベルの差と第１閾値との大小関係及びその大小の差の大きさと、に基づいて、この受信レベルの差が第１閾値以上である場合には、ダイバーシチゲインが既に得られていると判定し、一方でこの受信レベルの差が第１閾値未満である場合には、ダイバーシチゲインが得られていないと判定する。そして、受信処理制御部６３１は、ダイバーシチゲインが得られていないと判定した場合に限り、受信処理部１２２が間欠的に動作するように制御する。なお、受信処理部１２２が間欠的に動作する間は、逆拡散部１２３及び遅延プロファイル作成部１２４に第２受信信号が入力されないため、逆拡散部１２３及び遅延プロファイル作成部１２４も自動的に間欠的に動作するようになる。また、遅延プロファイル作成部１２４が間欠的に動作することによってパス検出部１２５に第２受信信号が入力されない場合は、ＣＱＩ生成部１２８は、レベル測定部１２６によって測定された第１受信信号の信号レベルに基づいてＣＱＩを生成することになる。
【００９８】
従って、本実施の形態に係るダイバーシチ受信装置６００によれば、ダイバーシチゲインが得られていない間は、受信処理部１２２、逆拡散部１２３及び遅延プロファイル作成部１２４が間欠的に動作するため、受信品質を劣化させることなくダイバーシチ受信装置６００による消費電力を削減することができる。
【００９９】
（実施の形態４）
図７は、本発明の実施の形態４に係るダイバーシチ受信装置７００の構成を示すブロック図である。ダイバーシチ受信装置７００は、ダイバーシチ受信装置１００において、遅延プロファイル作成部１１４及びパス検出部１１５が取り除かれ、遅延プロファイル作成部１２４の代わりに遅延プロファイル作成部７２４を、またパス検出部１２５の代わりにパス検出部７２５を具備するものである。即ち、ダイバーシチ受信装置７００における遅延プロファイル作成部７２４は、遅延プロファイル作成部１１４、１２４を統合したものであり、同様にパス検出部７２５は、パス検出部１１５、１２５を統合したものである。従って、ダイバーシチ受信装置７００の構成要素の殆どは、ダイバーシチ受信装置１００の構成要素と同様の機能を発揮する。そこで、本実施の形態では、ダイバーシチ受信装置１００の構成要素と同様の機能を発揮するダイバーシチ受信装置７００の構成要素については、重複をさけるため、その説明を省略する。
【０１００】
遅延プロファイル作成部７２４は、逆拡散部１１３から入力されてくる逆拡散処理された第１受信信号に基づいて第１遅延プロファイルを作成し、また逆拡散部１２３から入力されてくる逆拡散処理された第２受信信号に基づいて第２遅延プロファイルを作成し、作成された第１遅延プロファイル及び第２遅延プロファイルを、第１受信信号及び第２受信信号と共にパス検出部７２５に入力する。
【０１０１】
パス検出部７２５は、遅延プロファイル作成部７２４から入力されてくる第１遅延プロファイルの遅延時間に対する電力レベルの変化を観察し、その電力レベルが所定時間以上連続して第３閾値以上である場合に、その所定時間内における電力レベルのピークが形成された遅延時間（検出されたパス位置）に対応するタイミングで第１受信信号にフィンガを割り当て、割り当てたフィンガを明示する第１フィンガ情報を生成する。そして、パス検出部７２５は、生成した第１フィンガ情報と第１受信信号とを共にレベル測定部１１６及び復調部１１７にそれぞれ入力する。また、パス検出部７２５は、遅延プロファイル作成部７２４から入力されてくる第２遅延プロファイルに基づいて、その電力レベルが所定時間以上連続して第４閾値以上である場合に、検出されたパス位置に対応するタイミングで第２受信信号にフィンガを割り当てて第２フィンガ情報を生成する。そして、パス検出部７２５は、第１フィンガ情報、第１受信信号、第２フィンガ情報及び第２受信信号を全てレベル測定部１２６、復調部１２７及びフィンガ割当比較部１３１にそれぞれ入力する。
【０１０２】
従って、本実施の形態に係るダイバーシチ受信装置７００によれば、２つのブランチで遅延プロファイル作成部７２４及びパス検出部７２５が共用されるため、ダイバーシチ受信装置７００の回路規模を縮小することができる。
【産業上の利用可能性】
【０１０３】
本発明に係るダイバーシチ受信装置及びダイバーシチ受信方法は、伝搬環境が大幅に変化してもダイバーシチゲインが得られるという効果を有し、無線通信システムを構成する携帯電話等の移動局装置やこの移動局装置と無線通信を行う基地局装置等の無線通信装置として有用である。
【図面の簡単な説明】
【０１０４】
【図１】本発明の実施の形態１に係るダイバーシチ受信装置の構成を示すブロック図
【図２】本発明の実施の形態１に係るダイバーシチ受信方法を示すフロー図
【図３】実施の形態１における遅延プロファイルに基づいて受信信号にフィンガを割り当てる態様を示す図
【図４】実施の形態１における遅延プロファイルに基づいて受信信号にフィンガを割り当てる態様を示す図
【図５】本発明の実施の形態２に係るダイバーシチ受信装置の構成を示すブロック図
【図６】本発明の実施の形態３に係るダイバーシチ受信装置の構成を示すブロック図
【図７】本発明の実施の形態４に係るダイバーシチ受信装置の構成を示すブロック図
【図８】従来のダイバーシチ受信装置の構成を示すブロック図
【符号の説明】
【０１０５】
１００、５００、６００  ダイバーシチ受信装置
１１１、１２１  アンテナ素子
１１２、１２２  受信処理部
１１３、１２３  逆拡散部
１１４、１２４、７２４  遅延プロファイル作成部
１１５、１２５、７２５  パス検出部
１１６、１２６  レベル測定部
１１７、１２７  復調部
１３１  フィンガ割当比較部
１３２  レベル比較部
１３３  フィンガ割当制御部
５３１  切替制御部
５３２  切替器
５３３  ＭＭＳＥ合成部
５３４  ＲＡＫＥ合成部
６３１  受信処理制御部                                                   
【図１】
2005318432.tif 000003
【図２】
2005318432.tif 000004
【図３】
2005318432.tif 000005
【図４】
2005318432.tif 000006
【図５】
2005318432.tif 000007
【図６】
2005318432.tif 000008
【図７】
2005318432.tif 000009
【図８】
2005318432.tif 000010